(57)【要約】      （修正有）【課題】ロック及びアンロック機構の操作が極めて簡便で、ロック及びアンロック機能を有効に実行することができるスモールフォームファクタプラガブル接続具を提供する。【解決手段】スモールフォームファクタプラガブル接続具１のロック及びアンロック機構は、外ケース２０に回転可能に取り付けられる回転部材４１と、回転部材４１を外ケース２０に枢着する固定ロッド４２と、ロック及びアンロックのために弾力を与える弾性部材４３と、外ケース２０に摺動可能に設けられる連動部材４４と、回転部材４１と連動部材４４とを接続するＵ型接続部材４５とを備える。弾性部材４３は回転部材４１の係止アーム４１２の下方に位置され、係止アーム４１２が外力により下方に向って回転される時、弾性部材４３は圧縮され、外力が解消される時、弾性部材４３はもとの状態に恢復されて係止アーム４１２を上方に押し上げることができる。【選択図】図２
0003198803.tif 000002
【実用新案登録請求の範囲】
【請求項１】
ベースと、前記ベースに取り付けられている外ケースと、前記外ケースに取り付けられているロック及びアンロック機構とを備えるスモールフォームファクタプラガブル接続具であって、
前記外ケースの頂面には凹部と前記凹部の後方に位置する固定チャネルとが形成され、前記固定チャネルの両側には前記外ケースの左右表面を貫通する細長い貫通孔が形成されており、
前記ロック及びアンロック機構は、回転部材と、固定ロッドと、弾性部材と、連動部材と、U型接続部材とを備え、
前記回転部材は前記外ケースに回転可能に取り付けられており、前記回転部材は前記固定チャネルに収納できる本体と、前記本体に形成されて前記本体の左右表面を貫通する軸孔と、前記軸孔の前方に位置して前記本体の前表面から先へ突出し、更に前記凹部内に挿入する係止アームと、前記係止アームの頂面に設置されて前記凹部内から突出するロッキング鈎と、前記軸孔の後方に位置するとともに前記本体の底面に形成されている内凹部とを有しており、
前記固定ロッドが前記外ケースの貫通孔と前記回転部材の軸孔とに挿入され、前記回転部材は前記外ケースに枢着されており、
前記外ケースの凹部に設けられるとともに前記回転部材の係止アームの下方に位置する前記弾性部材は、ロック及びアンロックのため弾力を提供しており、前記係止アームが外力により下方に向って回転される時、前記弾性部材は圧縮され、外力が解消される時、前記弾性部材はもとの状態に恢復して前記係止アームを上方に押し上げており、
前記連動部材は前記外ケースに摺動可能に設けられ、第1端部と第2端部とを備え、そのうち前記第1端部は前記固定チャネルに設けられ前記回転部材の本体と前記固定チャネルの底面との間に挿入されており、前記第2端部は前記第1端部から延伸されることで、使用者により後方へ引かれて前記第1端部を後方へ摺動させており、
前記U型接続部材は、前記連動部材と前記回転部材とを接続するとともに２つの自由辺を有し、そのうち１つの自由辺は前記連動部材の第1端部に回転可能に固定され、他の自由辺は前記回転部材の内凹部内に当接される、
ことを特徴とするスモールフォームファクタプラガブル接続具。
【請求項２】
前記外ケースにおける固定チャネルの底面には凸部が設置されており、
前記回転部材の本体の後端には前記固定チャネル内の凸部と噛合可能な切欠部が形成されており、
前記連動部材の第1端部には前記外ケースの凸部と係合する開口が形成され、前記開口の長さは前記凸部の長さより長い、
ことを特徴とする請求項１に記載のスモールフォームファクタプラガブル接続具。
【請求項３】
前記外ケースの頂面は前端に近接する第1表面と後端に近接する第2表面とを有し、前記第2表面は前記第1表面より高く、前記第1表面と前記第2表面との間には肩部が形成されており、
前記凹部は前記第1表面の前記肩部に近接する位置に形成されており、
前記固定チャネルは前記外ケースの第2表面に形成されるとともに前記肩部と前記外ケースの後表面とを貫通しており、
前記凹部の底面は後上方向に向って傾斜し、かつ前記固定チャネルの底面に伸び、
前記細長い貫通孔は前記肩部の位置に近接するとともに、前記固定チャネルにより２段に切断されており、
前記凹部の底面には弾性部材の収納室が形成されている、
ことを特徴とする請求項１に記載のスモールフォームファクタプラガブル接続具。
【請求項４】
前記回転部材の係止アームの底面には凸台が形成されており、
前記回転部材の底面に位置する内凹部の前側壁が傾斜状になり、前記内凹部の背壁が垂直状になっている、
ことを特徴とする請求項3に記載のスモールフォームファクタプラガブル接続具。
【請求項５】
前記弾性部材は円筒コイルばねであり、前記円筒コイルばねの頂端は前記係止アームの凸台を被覆し、前記円筒コイルばねの底端は前記弾性部材の収納室内に収納される、
ことを特徴とする請求項4に記載のスモールフォームファクタプラガブル接続具。
【請求項６】
前記第1端部の頂面には凸包が更に形成され、前記凸包は前記回転部材の内凹部内に収容されており、
前記凸包内には固定孔が形成されている、
ことを特徴とする請求項4に記載のスモールフォームファクタプラガブル接続具。
【請求項７】
前記U型接続部材の１つの前記自由辺は前記連動部材の固定孔内に回転可能に固定され、他の前記自由辺は前記回転部材の内凹部の背壁に当接される、
ことを特徴とする請求項6に記載のスモールフォームファクタプラガブル接続具。
【請求項８】
前記U型接続部材はU型環である、
ことを特徴とする請求項７に記載のスモールフォームファクタプラガブル接続具。
【請求項９】
前記回転部材の本体は頂面が平坦状になり、その底面が階段状になっており、
前記回転部材が前記外ケースに取り付けられる時、前記本体の頂面は前記外ケースの第2表面と同一平面にある、
ことを特徴とする請求項3に記載のスモールフォームファクタプラガブル接続具。
【請求項１０】
前記スモールフォームファクタプラガブル接続具は、前記ベースと前記外ケースの周辺を包囲して固定されるとともに前記肩部の位置に近接する接地ハウジングを更に備え、
前記接地ハウジングの後端には外方向に湾曲し、前記肩部に向って延びる複数の弾性シートが形成されている、
ことを特徴とする請求項3に記載のスモールフォームファクタプラガブル接続具。
【考案の詳細な説明】
【技術分野】
【０００１】
本考案は、プラグ式接続具に関し、特にロック及びアンロック機構を有するスモールフォームファクタプラガブル接続具に関する。
【背景技術】
【０００２】
従来により、スモールフォームファクタプラガブル（ Small Form-factor Pluggable、略称SFP）接続具は、一般的な高速ダイレクトアタッチケーブルと高速光ファイバ接続線に用いられる。通常、SFP接続具にはロック機構が設置され、該SFP接続具がソケット接続具と接続するとき、該SFP接続具はまず遮蔽カバー内に挿入され、更に該ロック機構を利用して該SFP接続具を、それとソケット接続具との接続安全性を確保するように該遮蔽カバー内に固定する。接続を遮断する必要があるとき、該SFP接続具は、高速に抜き出すようにアンロック機構を更に用いて該遮蔽カバーから分離している。
【０００３】
しかし、接続具が小さくなることに伴って、電子設備におけるソケット接続具の密集度は漸進的に増加して、該SFP接続具を該遮蔽カバーに固定し、または分離する機構が日々複雑になり、その操作も更に困難になっている。
【０００４】
そのため、ロック及びアンロック機構を簡素化して、アンロック操作を更に簡素化する新たなスモールフォームファクタプラガブル接続具を提供する必要がある。
【考案の概要】
【考案が解決しようとする課題】
【０００５】
本考案の主な目的は、効率的にロック又はアンロックすることができ、かつロック及びアンロック機構の操作方式が極めて便利、高速になるスモールフォームファクタプラガブル接続具を提供することにある。
【０００６】
本考案の他の目的と利点は、本考案に開示されている技術的特徴から更に理解されることができる。
【課題を解決するための手段】
【０００７】
上述の目的に達成するため、本考案は、ベースと、該ベースに取り付けられている外ケースと、該外ケースに取り付けられているロック及びアンロック機構とを備えるスモールフォームファクタプラガブル接続具を提供する。該外ケースの頂面には凹部と該凹部の後方に位置する固定チャネルとが形成され、該固定チャネルの両側には該外ケースの左右表面を貫通する細長い貫通孔が形成されている。該ロック及びアンロック機構は、回転部材と、固定ロッドと、弾性部材と、連動部材と、接続部材とを備えている。該回転部材は該外ケースに回転可能に取り付けられており、該回転部材は、該固定チャネルに収納できる本体と、該本体に形成されて該本体の左右表面を貫通する軸孔と、該軸孔の前方に位置して該本体の前表面から先へ突出し、更に該凹部内に挿入する係止アームと、該係止アームの頂面に設置されて該凹部内から突出するロッキング鈎と、該軸孔の後方に位置するとともに該本体の底面に形成されている内凹部とを有する。該固定ロッドが該外ケースの貫通孔と該回転部材の軸孔とに挿入されて、該回転部材を該外ケースに枢着させている。該外ケースの凹部に設けられるとともに該回転部材の係止アームの下方に位置する該弾性部材は、ロック及びアンロックのために弾力を提供しており、該係止アームが外力により下方に向って回転される時、該弾性部材は圧縮され、外力が解消される時、該弾性部材はもとの状態に恢復して該係止アームを上方に押し上げる。該連動部材は、該外ケースに摺動可能に設けられ、かつ第1端部と第2端部とを備え、そのうち該第1端部は該固定チャネルに設けられて該回転部材の本体と該固定チャネルの底面との間に挿入されており、該第2端部は、該第1端部から後方へ延伸されることにより、使用者が後方へ引き、更に該第1端部を連動して後方へ摺動させることができる。該U型接続部材は、該連動部材と該回転部材とを接続するとともに２つの自由辺を有し、そのうち１つの自由辺は該連動部材の第1端部に回転可能に固定され、他の自由辺は該回転部材の内凹部内に当接される。
【０００８】
一実施形態において、該外ケースにおける固定チャネルの底面には凸部が設置されており、該回転部材の本体の後端には該固定チャネル内の凸部と噛合可能な切欠部が形成されており、該連動部材の第1端部には該外ケースの凸部と係合する開口が形成され、該開口の長さは該凸部の長さより大きい。
【０００９】
一実施形態において、該外ケースの頂面は前端に近接する第1表面と後端に近接する第2表面とを有し、該第2表面は該第1表面より高く、該第1表面と該第2表面との間には肩部が形成されており、該凹部は該第1表面の該肩部に近接する位置に形成されている。該固定チャネルは該外ケースの第2表面に形成されるとともに該肩部と該外ケースの後表面とを貫通しており、該凹部の底面は後上方向に向けて傾斜し、かつ該固定チャネルの底面に延伸する。該細長い貫通孔は該肩部の位置に近接するとともに、該固定チャネルにより２段に切断されており、該凹部の底面には弾性部材の収納室が形成されている。
【００１０】
一実施形態において、該回転部材の係止アームの底面には凸台が形成されており、該回転部材の底面に位置する内凹部の前側壁が傾斜状になり、該内凹部の背壁が垂直状になっている。
【００１１】
一実施形態において、該弾性部材は円筒コイルばねであり、該円筒コイルばねの頂端は該係止アームの凸台を被覆し、該円筒コイルばねの底端は該弾性部材の収納室内に収納される。
【００１２】
一実施形態において、該第1端部の頂面には凸包が更に形成され、該凸包は該回転部材の内凹部内に収容されており、該凸包内には固定孔が形成されている。
【００１３】
一実施形態において、該U型接続部材の該一の自由辺は該連動部材の固定孔内に回転可能に固定され、他の該自由辺は該回転部材の内凹部の背壁に当接される。
【００１４】
一実施形態において、該U型接続部材はU型環である。
一実施形態において、該回転部材の本体は頂面が平坦状であり、その底面が階段状であり、該回転部材が該外ケースに取り付けられる時、該本体の頂面は該外ケースの第2表面と同一平面になっている。
【００１５】
一実施形態において、該スモールフォームファクタプラガブル接続具は、該ベースと該外ケースの周辺を包囲し固定されるとともに該肩部の位置に近接する接地ハウジングを更に備え、該接地ハウジングの後端には外方向に湾曲し、更に該肩部に向けて延びる複数の弾性シートが形成されている。
【考案の効果】
【００１６】
従来技術に比べて、本考案に係るスモールフォームファクタプラガブル接続具は、ロック及びアンロック機構を有し、その操作が簡便で、ロック及びアンロック機能を有効に実行することができる。
【図面の簡単な説明】
【００１７】
【図１】図1は本考案に係るスモールフォームファクタプラガブル接続具の立体構造の説明図である。
【図２】図2は本考案に係るスモールフォームファクタプラガブル接続具のロック及びアンロック機構が外ケース及びベースから分解され他状態の説明図である。
【図３】図3は図2に示したロック及びアンロック機構の各部品の細部構造の説明図である。
【図４】図4は図2に示したロック及びアンロック機構を組み合わせた後の説明図である。
【図５】図5は部分的な断面構造の説明図であり、本考案に係るスモールフォームファクタプラガブル接続具のロック及びアンロック機構の構造位置関係を表している。
【図６】図6は遮蔽カバーの立体構造の説明図であり、そのうち、該遮蔽カバーは本考案に係るスモールフォームファクタプラガブル接続具を収納している。
【考案を実施するための形態】
【００１８】
以下の実施例の説明は、付加の図面を参考し、本考案において実行可能な特定の実施例を例示する。本考案に言及された「上」、「下」、「前」、「後」、「左」、「右」、「頂」、「底」などのような方向用語は、単純に付加の図面の方向を参考するのみであり、例えば、図1の製品構成の方向を参照する。そのため、使用された方向用語は本考案を説明及び理解するために提供され、本考案を制限するものではない。
【００１９】
図1及び図2を参照すると、本考案に係るスモールフォームファクタプラガブル接続具1は主に、ベース10と、該ベース10に取り付けられている外ケース20と、該ベース10と該外ケース20の周辺を包囲し固定される接地ハウジング30と、該外ケース20に取り付けられているロック及びアンロック機構とを備える。
【００２０】
図2に示すように、該外ケース20は、その前端に近接する第1表面21とその後端に近接する第2表面とを有し、そのうち該第2表面22は該第1表面21より高く、そのため、該第1表面21と該第2表面22との間には肩部23が形成されている。本実施例において、該第1表面21及び該第2表面22は両方とも該外ケース20の頂面であり、該スモールフォームファクタプラガブル接続具1を前部と後部に分けられる。基本的に、該第1表面21を有する前部は、図6に示したような遮蔽カバー9内に挿入されてソケット接続具（図示せず）に接続され、該第2表面22を有する後部は該遮蔽カバー9の外部に露出される。該接地ハウジング30は、該スモールフォームファクタプラガブル接続具1の前部を包囲するとともに該肩部23の位置に近接する。該接地ハウジング30の後端には外方向に湾曲し、該肩部23に向って延びる複数の弾性シート31が形成されている。該スモールフォームファクタプラガブル接続具1が該遮蔽カバー9内に挿入される時、該接地ハウジング30に位置する複数の前記弾性シート31は該遮蔽カバー9の内壁面に弾接して両者が完全な接地回路を形成することを確保する。
【００２１】
図2に示すように、該外ケース20の第1表面21において該肩部23に近接する位置には、該ロック及びアンロック機構40の一部分を収納するための略長方形の凹部24が形成されており、該外ケース20の第2表面22には該肩部23と該外ケース20の後表面とを貫通する固定チャネル25が形成され、該固定チャネル25及び該凹部24は、該外ケース20における長手方向に沿った中心線に位置し、かつつながっており、該固定チャネル25は該ロック及びアンロック機構40の別の部分を収納する。詳細には、該凹部24の底面には弾性部材の収納室240（図5を参照）が更に形成され、該凹部24の底面は後上方向に向って傾斜し、かつ該固定チャネル25の底面に伸びる。該固定チャネル25の底面の後端の中央位置には凸部250が設けられている。本実施例において、該凹部24及び該固定チャネル25は両方とも該外ケース20の頂面に形成されている。
【００２２】
また、図2に示すように、該固定チャネル25の両側には該外ケース20の左右表面を貫通する細長い貫通孔251が形成されており、該細長い貫通孔251は該肩部23の位置に近接するとともに、該固定チャネル25により２段に切断されている。
【００２３】
図2、図3及び図4に示すように、該ロック及びアンロック機構40は、回転部材41と、固定ロッド42と、弾性部材43と、連動部材44と、U型接続部材45とを備えている。
【００２４】
図3に示すように、前記回転部材41は図2に示すように外ケース20に回転可能に取り付けられることができ、該回転部材41は本体410と、該本体410に形成されて該本体410の左右表面を貫通する軸孔411と、該軸孔411の前方に位置して該本体410の前表面から先へ突出する係止アーム412と、該係止アーム412の頂面に設置されるロッキング鈎413と、該軸孔411の後方に位置するとともに該本体410の底面416に形成されている内凹部414とを有する。本実施例において、該本体410は頂面415（図2を参照）が平坦状になり、その底面416が階段状又は非平坦状になり、該本体410の後端の中央位置には該固定チャネル25の底面における凸部250と噛合可能な切欠部417が形成されており、該係止アーム412の底面には凸台418が形成されており、該内凹部414の前側壁4140は傾斜状になり、該内凹部414の背壁4142は直立状になっている。
【００２５】
同時に図1および図3を参照すると、該回転部材41が該外ケース20に設けられる時、該本体410はちょうど該外ケース20の固定チャネル25に収納されており、該本体410の頂面415は該外ケース20の第2表面22と同一平面にあるとともに、該軸孔411は該外ケース20における貫通孔251と一致しており、該係止アーム412及びその凸台418は該外ケース20の凹部24に挿入され、該係止アーム412の上方のロッキング鈎413は該凹部24の外部に位置し該外ケース20の第1表面21から突出しており、該本体410の後端に位置する切欠部417は該固定チャネル25の底面における凸部250とちょうど噛合っている。
【００２６】
同時に図2および図3を参照すると、上述の固定ロッド42は該外ケース20の貫通孔251及び該回転部材41の軸孔411に挿入されるため、該回転部材41は該外ケース20に枢着される。
【００２７】
同時に図2および図3を参照すると、前記弾性部材43は該外ケース20の凹部24内に位置するとともに、該回転部材41の係止アーム412の下方位置に位置しており、ロック及びアンロックのために弾力を提供する。具体的に、該弾性部材43は該外ケース20の弾性部材の収納室240（図5を参照）内に放置されている。該係止アーム412が外力により下方に向って回転される時、該弾性部材43は圧縮され、外力が解消される時、該弾性部材43は元の状態に恢復して該係止アーム412を上方に押し上げている。詳細には、通常、該弾性部材43は自由状態にあり、該係止アーム412におけるロッキング鈎413は該外ケース20の第1表面21から突出する（図1を参照）。該スモールフォームファクタプラガブル接続具1が該遮蔽カバー9（図６を参照）に入る時、該ロッキング鈎413は該遮蔽カバー9の内壁面により押下げられる。しかし、該係止アーム412の下方には該弾性部材43が放置されているため、該ロッキング鈎413は該係止アーム412により該弾性部材43を押下げて下方へ移動し、順調に該遮蔽カバー9内に入ることができ、該スモールフォームファクタプラガブル接続具1が完全に該遮蔽カバー9内に入った後、該ロッキング鈎413は該遮蔽カバー9に位置するロッキング孔90内に自動的に回復されて、該スモールフォームファクタプラガブル接続具1を該遮蔽カバー9内に固定することにより、該遮蔽カバー9から分離することを防止する。
【００２８】
本実施例において、図3に示すように、該弾性部材43は円筒コイルばねであり、該円筒コイルばねの頂端430は該係止アーム412の凸台418を被覆し、該円筒コイルばねの底端431は外ケース20の弾性部材の収納室240(図5を参照)内に収納される。
【００２９】
図２に示すように、上述の連動部材44は該外ケース20に摺動可能に設けられており、第1端部440および第2端部441を備え、そのうち、該第1端部440は該外ケース20の固定チャネル25に設けられ、かつ該回転部材41の本体410と該固定チャネル25の底面との間に挿入されており、使用者がアンロックのとき該第1端部440を後方へ引くために、該第2端部441は該第1端部440から後方へ伸び比較的長いストラップを形成する。本実施例において、該第1端部440には該凸部250と係合する開口442が形成されており、該開口442の長さは該凸部250の長さより長く、両者の幅は実質的に同一である。該連動部材44が該外ケース20に設けられる時、該外ケース20に位置する凸部250は該連動部材44の開口442内に陥入し、該連動部材44は更に該開口442の許容距離範囲内で前後に移動することができる。また、該第1端部440の頂面には凸包443が形成され、該凸包443の前表面は該回転部材41の内凹部414の前側壁4140の構造と同様であるため、該凸包443は該回転部材41の内凹部414内に収容される。また、該凸包443内には固定孔444（図3の符号444を参照）が形成されている。
【００３０】
同時に図2及び図3を配合し参照すると、上述のU型接続部材45は該連動部材44と該回転部材41とを接続しており、２つの略平行する自由辺450、451を有し、そのうち第1自由辺450は該連動部材44の固定孔444内に固定され、該U型接続部材45の第2自由辺451は該回転部材41の内凹部414の背壁4142に当接される。本実施例において、該U型接続部材45はU型環である。
【００３１】
同時に図5および図6を参照すると、実際に使用する時、該スモールフォームファクタプラガブル接続具1は頂面が下方に向って該遮蔽カバー9に挿入され、該ロッキング鈎413は該遮蔽カバー9におけるロッキング孔90内に入るが該ロッキング孔90の内辺縁901により阻止され、それによって該スモールフォームファクタプラガブル接続具1が該遮蔽カバー9から分離されることを防止する。アンロックを必要とする時、後方向へ該連動部材44の第2端部441（図2を参照）を引き、該第1端部440と該U型接続部材45の第1自由辺450とを一緒に後方向へ平行移動しており、該U型接続部材45の第2自由辺451は該内凹部414の背壁4142により阻止されるため。後方向へ平行移動し、該第2自由辺451は該第1自由辺450を回転軸として上方向のみに向って回転されるため、該回転部材41の該軸孔411の後方に位置する部位を上方に押し上げることができ、該回転部材41の該軸孔411の前方に位置する部位（例えば該係止アーム412）は該固定ロッド42を回転軸として下方に向って回転される。このとき、該係止アーム412は該弾性部材43を下方に向って圧迫し、該ロッキング鈎413は該外ケース20の凹部24内に陥入され該遮蔽カバー9のロッキング孔90から排出され、該スモールフォームファクタプラガブル接続具1は該遮蔽カバー9から抜き出される。該スモールフォームファクタプラガブル接続具1が抜き出された後、該ロック及びアンロック機構40は該弾性部材43の作用下で再び初期状態に回復する。
【符号の説明】
【００３２】
1 スモールフォームファクタプラガブル接続具
10 ベース 
20 外ケース 
21 第1表面 
22 第2表面 
23 肩部 
24 凹部 
240 弾性部材の収納室
25 固定チャネル 
250 凸部 
251 貫通孔 
30 接地ハウジング 
31 弾性シート 
40 ロック及びアンロック機構
41 回転部材
410 本体
411 軸孔
412 係止アーム
413 ロッキング鈎
414 内凹部
4140 前側壁
4142 背壁
415 頂面
416 底面
417 切欠部
418 凸台
42 固定ロッド
43 弾性部材
430 頂端
431 底端
44 連動部材
440 第1端部
441 第2端部
442 開口
443 凸包
444 固定孔
45 U型接続部材
450 第1自由辺
451 第2自由辺
9 遮蔽カバー
90 ロッキング孔
901 内辺縁
【図１】
0003198803.tif 000003
【図２】
0003198803.tif 000004
【図３】
0003198803.tif 000005
【図４】
0003198803.tif 000006
【図５】
0003198803.tif 000007
【図６】
0003198803.tif 000008